(57)【要約】【課題】  デジタル放送データ１０１を記録したデータのチャプターを複数のタイトルで容易に共有可能とする。【解決手段】  チューナー１０２は、デジタル放送データ１０１を入力し、パーシャルＴＳデータを出力する。ＨＤＤ用管理部１０４が、ＨＤＤ記録命令を示すユーザー制御情報１０３を入力すると、ＨＤＤ制御部１０６のＴＳ記録処理部１０７、ＨＤＤ記録再生処理部１０９を経由してＨＤＤ装置１１０に記録される。ＨＤＤ用管理部１０４、ＤＶＤ用管理部１０５が、ダビング命令を示すユーザー制御情報１０３を入力すると、ＨＤＤ装置１１０からダビング前データがＨＤＤ制御部１０６に読み出され、ＴＳ−ＰＳ変換部１１６でＰＳデータ型式に変換され、ＤＶＤ制御部１１１を経由して、ＤＶＤ装置・媒体１１５にダビング後データとしてダビングされる。【選択図】      図１
2007122771.tif 000002
【特許請求の範囲】
【請求項１】
指定された１以上のタイトルの１以上のチャプターを第１の媒体から第２の媒体にコピーまたは移動によりダビングする映像音声データ記録装置であって、
ユーザー制御情報により指定された１以上のタイトルの１以上のチャプターをダビング前データとして前記第１の媒体から取り出し、再生出力する第１の制御部と、前記第１の制御部から再生出力されたダビング前データを前記第２の記録媒体の型式に変換し、変換後ダビングデータとして出力する変換部と、ユーザー制御情報に従い、複数のプレイリストタイトルが、変換後ダビングデータ内のあるチャプターを含むようにプレイリストタイトルを作成する管理部と、変換後ダビングデータとプレイリストとを結合し、前記第２の媒体にダビング後データとしてダビングする第２の制御部とを有することを特徴とする映像音声データ記録装置。
【請求項２】
第１の媒体上に記録された映像音声データにおいて、任意の１以上のチャプターから構成された複数個のタイトルを、第２の媒体上にコピーまたは移動によりダビングする映像音声データ記録装置であって、
ダビングする複数のタイトルにおいて重複したチャプターを指定し、
少なくとも１個のタイトルから指定されたチャプターを選択し、ただし複数のタイトルから指定されたチャプターも１回のみ選択し、選択されたチャプターの集合を第２の媒体上にダビングし、
第２の媒体上で、第１のタイトルで指定したチャプターの集合を第１のプレイリストタイトル（連続再生するチャプターが登録されたタイトル）とし、第２のタイトルで指定したチャプターの集合を第２のプレイリストタイトルとし、以下、第ｎのタイトルで指定したチャプターの集合を第ｎのプレイリストタイトルとし、
プレイリストタイトルにより、１個の記録されたチャプターを複数のタイトルで共有することを特徴とする映像音声データ記録装置。
【請求項３】
第１の媒体上に記録された映像音声データにおいて、任意の１以上のチャプターから構成された複数個のタイトルを、第２の媒体上にコピーまたは移動によりダビングする映像音声データ記録装置であって、
ダビングする複数のタイトルにおいて重複したチャプターを指定し、
第１のタイトルでは、そのタイトルを構成するチャプターが第２の媒体上にダビングされるとともに、オリジナルタイトル（原作のタイトル）として登録し、
第２のタイトルでは、第１のタイトルを構成するチャプターと共通していないチャプターを第２の媒体上にダビングし、第２の媒体上で、第２のタイトルで指定したチャプターの集合をプレイリストタイトルとし、
以下、第ｎのタイトルでは、第（ｎ−１）までのタイトルを構成するチャプターと共通していないチャプターを第２の媒体上にダビングし、第２の媒体上で、第ｎのタイトルで指定したチャプターの集合をプレイリストタイトルとし、
プレイリストタイトルにより、１個の記録されたチャプターを複数のタイトルで共有することを特徴とする映像音声データ記録装置。
【請求項４】
第１の媒体上に記録された映像音声データにおいて、任意の１以上のチャプターから構成された複数個のタイトルを、第２の媒体上にコピーまたは移動によりダビングする映像音声データ記録装置であって、
ダビングする複数のタイトルにおいて重複したチャプターを指定し、
第１のタイトルでは、そのタイトルを構成する全チャプターが第２の媒体上にダビングされるとともに、オリジナルタイトルとして登録し、
第２のタイトルでは、そのタイトルを構成する全チャプターが第１のタイトルを構成するチャプターと共通していなければ、そのタイトルを構成するチャプターが第２の媒体上にダビングされるとともに、オリジナルタイトルとして登録し、１つでも第１のタイトルを構成するチャプターと共通していれば、共通していないチャプターをダビングするとともに、共通しているチャプターをプレイリストとして登録することにより、プレイリストタイトルとして登録し、
以下、第ｎのタイトルでは、そのタイトルを構成する全チャプターが第（ｎ−１）までのタイトルを構成するチャプターと共通していなければ、そのタイトルを構成するチャプターが第（ｎ−１）の媒体上にダビングされるとともに、オリジナルタイトルとして登録し、１つでも第（ｎ−１）までのタイトルを構成するチャプターと共通していれば、共通していないチャプターをダビングするとともに、共通しているチャプターをプレイリストとして登録することにより、プレイリストタイトルとして登録し、
プレイリストタイトルにより、１個の記録されたチャプターを複数のタイトルで共有することを特徴とする映像音声データ記録装置。
【請求項５】
第１のタイトルで使用されるチャプターと、
第２のタイトルを作成するときに移動されたチャプターと、
以下、第ｎのタイトルを作成するときに移動されたチャプターを、
ビットレートを変えることを特徴とする請求項２、３、または、４記載の映像音声データ記録装置。
【請求項６】
第１のタイトルで使用されるチャプターのビットレートを最大とし、以下、第２のタイトル、・・・、第ｎのタイトルで使用されるチャプターの順にビットレートが低減していくことを特徴とする請求項５記載の映像音声データ記録装置。
【請求項７】
ダビングする順序に従って、第１、第２、・・・第ｎをナンバーリングすることを特徴とする請求項２、３、４、５、または、６記載の映像音声データ記録装置。
【請求項８】
ユーザーが指定する順序に従って、第１、第２、・・・第ｎをナンバーリングすることを特徴とする請求項２、３、４、５、または、６記載の映像音声データ記録装置。
【請求項９】
第１の媒体上において、前記第１の媒体上のチャプターが移動により消去されるとき、ユーザーから再生、編集不能の形で前記第１の媒体上にデータを残しておき、プレイリストデータをダビングする際、プレイリストが消去済みデータのどの部分を指すかを検出し、ダビング先の第２の媒体に通知し、前記第２の媒体に前記チャプターが存在する場合、前記第１の媒体上のプレイリストデータを第２の媒体上にダビングすることを特徴とする映像音声データ記録装置。
【請求項１０】
前記第１の媒体上に残しておくデータを、管理データのみとすることを特徴とする請求項９記載の映像音声データ記録装置。
【請求項１１】
第１の媒体上において、記録データが移動により消去されるとき、ユーザーから再生、編集不能の形で前記第１の媒体上にデータを残しておき、移動先の第２の媒体上のデータが確実に消去されたことを確認した後、前記第１の媒体上のデータを、ユーザーが再生、編集できる形に復活させることを特徴とする映像音声データ記録装置。
【請求項１２】
前記第１の媒体の容量が規定の容量以下、または全体の容量に対する規定の比率以下になるまでデータを保存することを特徴とする請求項９、１０、または、１１記載の映像音声データ記録装置。
【請求項１３】
前記第１の媒体において移動による消去実行後、規定時間に達するまでデータを保存することを特徴とする請求項９、１０、または、１１記載の映像音声データ記録装置。
【請求項１４】
ユーザーが完全消去を指定するまでデータを保存することを特徴とする請求項９、１０、または、１１記載の映像音声データ記録装置。
【請求項１５】
前記第１の媒体上にはＴＳ（トランスポートストリーム）で記録し、第２の媒体上にはＰＳ（プログラムストリーム）で記録することを特徴とする請求項１、２、３、４、５、６、７、８、９、１０、１１、１２、１３、または、１４記載の映像音声データ記録装置。
【請求項１６】
前記第１の媒体上にはデータサーチインフォメーションを記録せず、第２の媒体上にはデータサーチインフォメーションを記録することを特徴とする請求項１、２、３、４、５、６、７、８、９、１０、１１、１２、１３、または、１４記載の映像音声データ記録装置。記載の映像音声データ記録装置。
【請求項１７】
第１の制御部、変換部、管理部、および、第２の制御部を備え、指定された１以上のタイトルの１以上のチャプターを第１の媒体から第２の媒体にコピーまたは移動によりダビングする映像音声データ記録装置における映像音声データ記録方法であって、
前記第１の制御部が、ユーザー制御情報により指定された１以上のタイトルの１以上のチャプターをダビング前データとして前記第１の媒体から取り出し、再生出力する手順と、
前記変換部が、前記第１の制御部から再生出力されたダビング前データを前記第２の記録媒体の型式に変換し、変換後ダビングデータとして出力する手順と、
前記管理部が、ユーザー制御情報に従い、複数のプレイリストタイトルが、変換後ダビングデータ内のあるチャプターを含むようにプレイリストタイトルを作成する手順と、
前記第２の制御部が、変換後ダビングデータとプレイリストとを結合し、前記第２の媒体にダビング後データとしてダビングする手順と、
を含むことを特徴とする映像音声データ記録方法。
【請求項１８】
第１の媒体上に記録された映像音声データにおいて、任意の１以上のチャプターから構成された複数個のタイトルを、第２の媒体上にコピーまたは移動によりダビングする映像音声データ記録装置における映像音声データ記録方法であって、
ダビングする複数のタイトルにおいて重複したチャプターを指定する手順と、
少なくとも１個のタイトルから指定されたチャプターを選択し、ただし複数のタイトルから指定されたチャプターも１回のみ選択し、選択されたチャプターの集合を第２の媒体上にダビングする手順と、
第２の媒体上で、第１のタイトルで指定したチャプターの集合を第１のプレイリストタイトル（連続再生するチャプターが登録されたタイトル）とし、第２のタイトルで指定したチャプターの集合を第２のプレイリストタイトルとし、以下、第ｎのタイトルで指定したチャプターの集合を第ｎのプレイリストタイトルとする手順と、
プレイリストタイトルにより、１個の記録されたチャプターを複数のタイトルで共有する手順と、
を含むことを特徴とする映像音声データ記録方法。
【請求項１９】
第１の制御部、変換部、管理部、および、第２の制御部を備え、指定された１以上のタイトルの１以上のチャプターを第１の媒体から第２の媒体にコピーまたは移動によりダビングする映像音声データ記録装置を制御する映像音声データ記録プログラムであって、
前記第１の制御部に、ユーザー制御情報により指定された１以上のタイトルの１以上のチャプターをダビング前データとして前記第１の媒体から取り出し、再生出力する手順を実行させ、
前記変換部に、前記第１の制御部から再生出力されたダビング前データを前記第２の記録媒体の型式に変換し、変換後ダビングデータとして出力する手順を実行させ、
前記管理部に、ユーザー制御情報に従い、複数のプレイリストタイトルが、変換後ダビングデータ内のあるチャプターを含むようにプレイリストタイトルを作成する手順を実行させ、
前記第２の制御部に、変換後ダビングデータとプレイリストとを結合し、前記第２の媒体にダビング後データとしてダビングする手順を実行させることを特徴とする映像音声データ記録プログラム。
【請求項２０】
第１の媒体上に記録された映像音声データにおいて、任意の１以上のチャプターから構成された複数個のタイトルを、第２の媒体上にコピーまたは移動によりダビングする映像音声データ記録装置を制御する映像音声データ記録プログラムであって、
ダビングする複数のタイトルにおいて重複したチャプターを指定する手順と、
少なくとも１個のタイトルから指定されたチャプターを選択し、ただし複数のタイトルから指定されたチャプターも１回のみ選択し、選択されたチャプターの集合を第２の媒体上にダビングする手順と、
第２の媒体上で、第１のタイトルで指定したチャプターの集合を第１のプレイリストタイトル（連続再生するチャプターが登録されたタイトル）とし、第２のタイトルで指定したチャプターの集合を第２のプレイリストタイトルとし、以下、第ｎのタイトルで指定したチャプターの集合を第ｎのプレイリストタイトルとする手順と、
プレイリストタイトルにより、１個の記録されたチャプターを複数のタイトルで共有する手順と、
を前記映像音声データ記録装置に実行させることを特徴とする映像音声データ記録プログラム。
【発明の詳細な説明】
【技術分野】
【０００１】
本発明は、映像音声データ記録装置、映像音声データ記録方法、および、映像音声データ記録プログラムに関し、特に、１個の記録されたチャプターを複数のタイトルで共有する映像音声データ記録装置、映像音声データ記録方法、および、映像音声データ記録プログラムに関する。
【背景技術】
【０００２】
従来、ＤＶＤ（Ｄｉｇｉｔａｌ  Ｖｅｒｓａｔｉｌｅ  Ｄｉｓｃ）におけるビデオ、ストリーム関連アプリケーションフォーマットとして、ＤＶＤ−Ｆｏｒｕｍにおいて、再生専用のＤＶＤ−Ｖｉｄｅｏフォーマット、記録再生と編集が容易なＤＶＤ−ＶＲ（Ｖｉｄｅｏ  Ｒｅｃｏｒｄｉｎｇ）フォーマット、放送または伝送ストリームを直接記録再生が容易なＤＶＤ−ＳＲ（Ｓｔｒｅａｍ  Ｒｅｃｏｒｄｉｎｇ）フォーマットが規格化されている。
【０００３】
再生専用のＤＶＤ−Ｖｉｄｅｏフォーマットは、映画などあらかじめコンテンツが記録されたディスク再生専用フォーマットであり、ホームシアターをメインターゲットとしている。記録再生可能なＤＶＤ−ＶＲフォーマットは、アナログビデオをデジタル化し、ＭＰＥＧ−２エンコードして記録することを主たる目的としたフォーマットであり、アナログ放送記録とビデオカメラをメインターゲットとしている。ＤＶＤ−ＳＲフォーマットは、ＭＰＥＧストリームとして送られてきたデータを基本的にはそのまま記録するフォーマットであり、デジタル放送のダイレクト記録をメインターゲットとしている。現在、ＤＶＤ−Ｖｉｄｅｏフォーマットの商品は世界中に広まり、ＤＶＤ−ＶＲフォーマットの商品も大幅に広まりつつあるが、ＤＶＤ−ＳＲフォーマットの商品は未だ商品化されていない状況にある。
【０００４】
一方、最近では、次世代に向け、青色レーザーダイオードにより大容量記録可能な＜ＨＤ  ＤＶＤ＞が研究されており、物理フォーマットとして、＜ＨＤ  ＤＶＤ＞フォーマットが確立されつつある。また、それに対応して高品質なＨＤＴＶ（ハイビジョン）を対象とした映像フォーマットが規格化されている。再生専用フォーマットとしてＤＶＤ−ＶｉｄｅｏのＨＤＴＶバージョンである＜ＨＤ  ＤＶＤ＞−Ｖｉｄｅｏフォーマット、記録再生フォーマットとしてＤＶＤ−ＶＲおよびＤＶＤ−ＳＲのＨＤＴＶバージョンである＜ＨＤ  ＤＶＤ＞−Ｖｉｄｅｏ  Ｒｅｃｏｒｄｉｎｇフォーマットが規格化されつつある。また、同様の目的で、ＢＤ（Ｂｌｕｅ−ｒａｙ  Ｄｉｓｃ；ブルーレイディスク）フォーマットが規格化されている。
【０００５】
また、従来のハードディスク装置、および、ＤＶＤ装置に、ビデオオーディオデータを記録する技術の一例が、特許文献１に記載されている。この技術は、ハードディスクに記録されたビデオオーディオデータをフォーマット変換してＤＶＤ装置にダビングする構成を持つ。この技術は、１回のみコピーが許されるビデオオーディオデータを考慮した構成にはなっていない。
【０００６】
【特許文献１】特開２００４−３５７２７５号公報
【発明の開示】
【発明が解決しようとする課題】
【０００７】
上述した従来の技術の問題点は、１回のみコピーが許されるビデオオーディオデータの任意の１つのチャプターを複数のタイトルで共有できないことである。
【０００８】
その理由は、１回のみコピーが許されるビデオオーディオデータを考慮した構成になっておらず、任意の１つのチャプターは、１つのタイトルのみで使用可可能なようにダビングする構成をとるからである。
【０００９】
本発明の目的は、上述した問題点を解決する映像音声データ記録装置、映像音声データ記録方法、および、映像音声データ記録プログラムを提供することである。
【課題を解決するための手段】
【００１０】
本発明の第１の映像音声データ記録装置は、指定された１以上のタイトルの１以上のチャプターを第１の媒体から第２の媒体にコピーまたは移動によりダビングする映像音声データ記録装置であって、ユーザー制御情報により指定された１以上のタイトルの１以上のチャプターをダビング前データとして前記第１の媒体から取り出し、再生出力する第１の制御部と、前記第１の制御部から再生出力されたダビング前データを前記第２の記録媒体の型式に変換し、変換後ダビングデータとして出力する変換部と、ユーザー制御情報に従い、複数のプレイリストタイトルが、変換後ダビングデータ内のあるチャプターを含むようにプレイリストタイトルを作成する管理部と、変換後ダビングデータとプレイリストとを結合し、前記第２の媒体にダビング後データとしてダビングする第２の制御部とを有する。
【００１１】
本発明の第２の映像音声データ記録装置は、第１の媒体上に記録された映像音声データにおいて、任意の１以上のチャプターから構成された複数個のタイトルを、第２の媒体上にコピーまたは移動によりダビングする映像音声データ記録装置であって、ダビングする複数のタイトルにおいて重複したチャプターを指定し、少なくとも１個のタイトルから指定されたチャプターを選択し、ただし複数のタイトルから指定されたチャプターも１回のみ選択し、選択されたチャプターの集合を第２の媒体上にダビングし、第２の媒体上で、第１のタイトルで指定したチャプターの集合を第１のプレイリストタイトル（連続再生するチャプターが登録されたタイトル）とし、第２のタイトルで指定したチャプターの集合を第２のプレイリストタイトルとし、以下、第ｎのタイトルで指定したチャプターの集合を第ｎのプレイリストタイトルとし、プレイリストタイトルにより、１個の記録されたチャプターを複数のタイトルで共有する。
【００１２】
本発明の第３の映像音声データ記録装置は、第１の媒体上に記録された映像音声データにおいて、任意の１以上のチャプターから構成された複数個のタイトルを、第２の媒体上にコピーまたは移動によりダビングする映像音声データ記録装置であって、ダビングする複数のタイトルにおいて重複したチャプターを指定し、第１のタイトルでは、そのタイトルを構成するチャプターが第２の媒体上にダビングされるとともに、オリジナルタイトル（原作のタイトル）として登録し、第２のタイトルでは、第１のタイトルを構成するチャプターと共通していないチャプターを第２の媒体上にダビングし、第２の媒体上で、第２のタイトルで指定したチャプターの集合をプレイリストタイトルとし、以下、第ｎのタイトルでは、第（ｎ−１）までのタイトルを構成するチャプターと共通していないチャプターを第２の媒体上にダビングし、第２の媒体上で、第ｎのタイトルで指定したチャプターの集合をプレイリストタイトルとし、プレイリストタイトルにより、１個の記録されたチャプターを複数のタイトルで共有する。
【００１３】
本発明の第４の映像音声データ記録装置は、第１の媒体上に記録された映像音声データにおいて、任意の１以上のチャプターから構成された複数個のタイトルを、第２の媒体上にコピーまたは移動によりダビングする映像音声データ記録装置であって、ダビングする複数のタイトルにおいて重複したチャプターを指定し、第１のタイトルでは、そのタイトルを構成する全チャプターが第２の媒体上にダビングされるとともに、オリジナルタイトルとして登録し、第２のタイトルでは、そのタイトルを構成する全チャプターが第１のタイトルを構成するチャプターと共通していなければ、そのタイトルを構成するチャプターが第２の媒体上にダビングされるとともに、オリジナルタイトルとして登録し、１つでも第１のタイトルを構成するチャプターと共通していれば、共通していないチャプターをダビングするとともに、共通しているチャプターをプレイリストとして登録することにより、プレイリストタイトルとして登録し、以下、第ｎのタイトルでは、そのタイトルを構成する全チャプターが第（ｎ−１）までのタイトルを構成するチャプターと共通していなければ、そのタイトルを構成するチャプターが第（ｎ−１）の媒体上にダビングされるとともに、オリジナルタイトルとして登録し、１つでも第（ｎ−１）までのタイトルを構成するチャプターと共通していれば、共通していないチャプターをダビングするとともに、共通しているチャプターをプレイリストとして登録することにより、プレイリストタイトルとして登録し、プレイリストタイトルにより、１個の記録されたチャプターを複数のタイトルで共有する。
【００１４】
本発明の第５の映像音声データ記録装置は、前記第２、第３、または、第４の映像音声データ記録装置であって、第１のタイトルで使用されるチャプターと、第２のタイトルを作成するときに移動されたチャプターと、以下、第ｎのタイトルを作成するときに移動されたチャプターを、ビットレートを変える。
【００１５】
本発明の第６の映像音声データ記録装置は、前記第５の映像音声データ記録装置であって、第１のタイトルで使用されるチャプターのビットレートを最大とし、以下、第２のタイトル、・・・、第ｎのタイトルで使用されるチャプターの順にビットレートが低減していく。
【００１６】
本発明の第７の映像音声データ記録装置は、前記第２、第３、第４、第５、または、第６の映像音声データ記録装置であって、ダビングする順序に従って、第１、第２、・・・第ｎをナンバーリングする。
【００１７】
本発明の第８の映像音声データ記録装置は、前記第２、第３、第４、第５、または、第６の映像音声データ記録装置であって、ユーザーが指定する順序に従って、第１、第２、・・・第ｎをナンバーリングする。
【００１８】
本発明の第９の映像音声データ記録装置は、第１の媒体上において、前記第１の媒体上のチャプターが移動により消去されるとき、ユーザーから再生、編集不能の形で前記第１の媒体上にデータを残しておき、プレイリストデータをダビングする際、プレイリストが消去済みデータのどの部分を指すかを検出し、ダビング先の第２の媒体に通知し、前記第２の媒体に前記チャプターが存在する場合、前記第１の媒体上のプレイリストデータを第２の媒体上にダビングする。
【００１９】
本発明の第１０の映像音声データ記録装置は、前記第９の映像音声データ記録装置であって、前記第１の媒体上に残しておくデータを、管理データのみとする。
【００２０】
本発明の第１１の映像音声データ記録装置は、第１の媒体上において、記録データが移動により消去されるとき、ユーザーから再生、編集不能の形で前記第１の媒体上にデータを残しておき、移動先の第２の媒体上のデータが確実に消去されたことを確認した後、前記第１の媒体上のデータを、ユーザーが再生、編集できる形に復活させる。
【００２１】
本発明の第１２の映像音声データ記録装置は、前記第９、第１０、または、第１１の映像音声データ記録装置であって、前記第１の媒体の容量が規定の容量以下、または全体の容量に対する規定の比率以下になるまでデータを保存する。
【００２２】
本発明の第１３の映像音声データ記録装置は、前記第９、第１０、または、第１１の映像音声データ記録装置であって、前記第１の媒体において移動による消去実行後、規定時間に達するまでデータを保存する。
【００２３】
本発明の第１４の映像音声データ記録装置は、前記第９、第１０、または、第１１の映像音声データ記録装置であって、ユーザーが完全消去を指定するまでデータを保存する。
【００２４】
本発明の第１５の映像音声データ記録装置は、前記第１、第２、第３、第４、第５、第６、第７、第８、第９、第１０、第１１、第１２、第１３、または、第１４の映像音声データ記録装置であって、前記第１の媒体上にはＴＳ（トランスポートストリーム）で記録し、第２の媒体上にはＰＳ（プログラムストリーム）で記録する。
【００２５】
本発明の第１６の映像音声データ記録装置は、前記第１、第２、第３、第４、第５、第６、第７、第８、第９、第１０、第１１、第１２、第１３、または、第１４の映像音声データ記録装置であって、前記第１の媒体上にはデータサーチインフォメーションを記録せず、第２の媒体上にはデータサーチインフォメーションを記録する。
【００２６】
本発明の第１の映像音声データ記録方法は、第１の制御部、変換部、管理部、および、第２の制御部を備え、指定された１以上のタイトルの１以上のチャプターを第１の媒体から第２の媒体にコピーまたは移動によりダビングする映像音声データ記録装置における映像音声データ記録方法であって、前記第１の制御部が、ユーザー制御情報により指定された１以上のタイトルの１以上のチャプターをダビング前データとして前記第１の媒体から取り出し、再生出力する手順と、前記変換部が、前記第１の制御部から再生出力されたダビング前データを前記第２の記録媒体の型式に変換し、変換後ダビングデータとして出力する手順と、前記管理部が、ユーザー制御情報に従い、複数のプレイリストタイトルが、変換後ダビングデータ内のあるチャプターを含むようにプレイリストタイトルを作成する手順と、前記第２の制御部が、変換後ダビングデータとプレイリストとを結合し、前記第２の媒体にダビング後データとしてダビングする手順と、を含む。
【００２７】
本発明の第２の映像音声データ記録方法は、第１の媒体上に記録された映像音声データにおいて、任意の１以上のチャプターから構成された複数個のタイトルを、第２の媒体上にコピーまたは移動によりダビングする映像音声データ記録装置における映像音声データ記録方法であって、ダビングする複数のタイトルにおいて重複したチャプターを指定する手順と、少なくとも１個のタイトルから指定されたチャプターを選択し、ただし複数のタイトルから指定されたチャプターも１回のみ選択し、選択されたチャプターの集合を第２の媒体上にダビングする手順と、第２の媒体上で、第１のタイトルで指定したチャプターの集合を第１のプレイリストタイトル（連続再生するチャプターが登録されたタイトル）とし、第２のタイトルで指定したチャプターの集合を第２のプレイリストタイトルとし、以下、第ｎのタイトルで指定したチャプターの集合を第ｎのプレイリストタイトルとする手順と、プレイリストタイトルにより、１個の記録されたチャプターを複数のタイトルで共有する手順と、を含む。
【００２８】
本発明の第１の映像音声データ記録プログラムは、第１の制御部、変換部、管理部、および、第２の制御部を備え、指定された１以上のタイトルの１以上のチャプターを第１の媒体から第２の媒体にコピーまたは移動によりダビングする映像音声データ記録装置を制御する映像音声データ記録プログラムであって、前記第１の制御部に、ユーザー制御情報により指定された１以上のタイトルの１以上のチャプターをダビング前データとして前記第１の媒体から取り出し、再生出力する手順を実行させ、前記変換部に、前記第１の制御部から再生出力されたダビング前データを前記第２の記録媒体の型式に変換し、変換後ダビングデータとして出力する手順を実行させ、前記管理部に、ユーザー制御情報に従い、複数のプレイリストタイトルが、変換後ダビングデータ内のあるチャプターを含むようにプレイリストタイトルを作成する手順を実行させ、前記第２の制御部に、変換後ダビングデータとプレイリストとを結合し、前記第２の媒体にダビング後データとしてダビングする手順を実行させる。
【００２９】
本発明の第２の映像音声データ記録プログラムは、第１の媒体上に記録された映像音声データにおいて、任意の１以上のチャプターから構成された複数個のタイトルを、第２の媒体上にコピーまたは移動によりダビングする映像音声データ記録装置を制御する映像音声データ記録プログラムであって、ダビングする複数のタイトルにおいて重複したチャプターを指定する手順と、少なくとも１個のタイトルから指定されたチャプターを選択し、ただし複数のタイトルから指定されたチャプターも１回のみ選択し、選択されたチャプターの集合を第２の媒体上にダビングする手順と、第２の媒体上で、第１のタイトルで指定したチャプターの集合を第１のプレイリストタイトル（連続再生するチャプターが登録されたタイトル）とし、第２のタイトルで指定したチャプターの集合を第２のプレイリストタイトルとし、以下、第ｎのタイトルで指定したチャプターの集合を第ｎのプレイリストタイトルとする手順と、プレイリストタイトルにより、１個の記録されたチャプターを複数のタイトルで共有する手順と、を前記映像音声データ記録装置に実行させる。
【発明の効果】
【００３０】
本発明の効果は、１回のみコピーが許されるビデオオーディオデータの任意の１つのチャプターを複数のタイトルで共有できるこことである。
【００３１】
その理由は、ユーザー制御情報に従い、複数のプレイリストタイトルが、変換後ダビングデータ内のあるチャプターを含むようにプレイリストタイトルを作成する構成を持つからである。
【発明を実施するための最良の形態】
【００３２】
次に、本発明を実施するための第１の最良の形態について図面を参照して詳細に説明する。
【００３３】
図１は、本発明を実施するための第１の最良の形態の構成を示すブロック図である。
【００３４】
図１を参照すると、本発明を実施するための第１の最良の形態のデータ記録再生装置５００は、ハードディスク装置であるＨＤＤ装置１１０と、ＤＶＤ装置であるＤＶＤ装置・媒体１１５（以下では、ＤＶＤの媒体を示す場合もある）と、放送されたデジタル放送データ１０１（音声映像データ、または、ビデオオーディオデータ）を入力するチューナー１０２と、ユーザーからのタイトル、シーンの指定等であるユーザー制御情報１０３を入力するＨＤＤ用管理部１０４と、ユーザーからのタイトル、シーンの指定等であるユーザー制御情報１０３を入力するＤＶＤ用管理部１０５と、ＨＤＤ装置１１０を制御するＨＤＤ制御部１０６と、ＤＶＤ装置・媒体１１５を制御するＤＶＤ制御部１１１と、ＴＳ（Ｔｒａｎｓｐｏｒｔ  Ｓｔｒｅａｍ；トランスポートストリーム）形式のＴＳデータをＰＳ（Ｐｒｏｇｒａｍ  Ｓｔｒｅａｍ；プログラムストリーム）形式のＰＳデータに変換するＴＳ−ＰＳ変換部１１６と、ＰＳデータをＴＳデータに変換するＰＳ−ＴＳ変換部１１７と、ＨＤＤ装置１１０、ＤＶＤ装置・媒体１１５に格納されたビデオオーディオデータを再生し、再生データ１１９を出力する再生制御部１１８とを含む。
【００３５】
ＨＤＤ制御部１０６は、ＴＳデータの記録処理を行うＴＳ記録処理部１０７と、ＴＳデータの再生処理を行うＴＳ再生処理部１０８と、ＨＤＤ装置１１０と「ＴＳ記録処理部１０７、および、ＴＳ再生処理部１０８」との仲介を行うＨＤＤ記録再生処理部１０９とを含む。ＤＶＤ制御部１１１は、ＰＳデータの記録処理を行うＰＳ記録処理部１１２と、ＰＳデータの再生処理を行うＰＳ再生処理部１１３と、ＤＶＤ装置・媒体１１５と「ＰＳ記録処理部１１２、および、ＰＳ再生処理部１１３」との仲介を行うＤＶＤ記録再生処理部１１４とを含む。
【００３６】
次に、本発明を実施するための第１の最良の形態の動作について図面を参照して説明する。
【００３７】
図２、図３は、本発明を実施するための第１の最良の形態の動作を示すフローチャートである。
【００３８】
放送されたデジタル放送データ１０１をＨＤＤ装置１１０に録画し、また、ＨＤＤ装置１１０からＤＶＤ装置・媒体１１５にダビング（移動）する例について説明する。
【００３９】
最初に、チューナー１０２が、ＴＳデータであるデジタル放送データ１０１を入力する（図２ステップＳ１）。デジタル放送データ１０１には、第１、および、第２チャンネルからなる２チャンネルのビデオオーディオデータが重畳されているものとする。日本のＢＳデジタル放送では、１本のフルＴＳデータ中に、２つのチャンネル（たとえば、４ｃｈ（日本テレビ）と８ｃｈ（フジテレビ））の番組のストリームが重畳されている。このように、デジタル放送では、通常、１本のフルＴＳデータ中に異なる複数チャンネルのビデオオーディオデータが重畳されている。
【００４０】
チューナー１０２は、デジタル放送データ１０１を検出し、パーシャルＴＳデータと呼ばれる１番組のＴＳデータを出力する（ステップＳ２）。
【００４１】
また、ＨＤＤ用管理部１０４、ＤＶＤ用管理部１０５は、たとえば、ＨＤＤ記録命令を示すユーザー制御情報１０３を入力する（ステップＳ３）。
【００４２】
この場合、ＨＤＤ用管理部１０４は、ＨＤＤ記録命令を入力するとＨＤＤ記録制御信号をＨＤＤ制御部１０６に出力する（ステップＳ４）。
【００４３】
ＨＤＤ制御部１０６のＴＳ記録処理部１０７は、ＨＤＤ記録制御信号を入力すると、パーシャルＴＳデータを入力する（ステップＳ５）。パーシャルＴＳデータには、マルチビュー、マルチアングル、マルチシーン、重複シーンなどのシーンデータがすべて含まれている。
【００４４】
ＴＳ記録処理部１０７は、パーシャルＴＳデータを出力し（ステップＳ６）、ＨＤＤ記録再生処理部１０９は、入力したパーシャルＴＳデータを出力し（ステップＳ７）、ＨＤＤ装置１１０は、入力したパーシャルＴＳデータを内部に記録する（ステップＳ８）。ここで、記録形態はパーシャルＴＳデータのままであり、この中にマルチビュー、マルチアングル、マルチシーン、重複シーンなどのシーンデータがすべて含まれる。
【００４５】
次に、ＨＤＤ用管理部１０４、および、ＤＶＤ用管理部１０５が、ＨＤＤ装置１１０からＤＶＤ装置・媒体１１５へのダビング命令を示すユーザー制御情報１０３を入力する（図３ステップＳ９）。ＨＤＤ用管理部１０４は、ＴＳ再生処理部１０８に対してＨＤＤ再生・ダビング制御信号を出力し（ステップＳ１０）、ＤＶＤ用管理部１０５は、ＰＳ記録処理部１１２に対してＤＶＤ記録・ダビング制御信号を出力する（ステップＳ１１）。
【００４６】
これにより、ＨＤＤ装置１１０から読み出されたＴＳデータ形式のダビング前データがＨＤＤ記録再生処理部１０９で入力され、出力され（ステップＳ１２）、ＴＳ再生処理部１０８で再生出力される（ステップＳ１３）。ＴＳ−ＰＳ変換部１１６は、ＴＳ再生処理部１０８から出力されたダビング前データをＰＳデータ形式に変換し、ダビング後データ（ステップＳ１４）。ＤＶＤ制御部１１１のＰＳ記録処理部１１２は、ＤＶＤ記録・ダビング信号を入力すると、ＰＳデータ形式に変換されたダビング前データをダビング後データとしてＤＶＤ記録再生処理部１１４に出力する（ステップＳ１５）。ＤＶＤ記録再生処理部１１４は、ダビング後データを入力し、ＤＶＤ装置・媒体１１５にダビング（記録）する（ステップＳ１６）。
【００４７】
ダビングされるときのストリーム、ＤＶＤ装置・媒体１１５中のストリームに関しては、後で詳しく説明する。ダビングがムーブ（移動）の場合、ＤＶＤ装置・媒体１１５へのダビング（記録）が正常終了すると、ＨＤＤ用管理部１０４からの消去制御信号により、ＨＤＤ装置１１０に存在しているダビング前データが、ＴＳ記録処理部１０７、ＨＤＤ記録再生処理部１０９を介して、強制的に消去される（ステップＳ１７）。
【００４８】
また、ＤＶＤ用管理部１０５が、ＤＶＤ再生命令を示すユーザー制御情報１０３を入力すると、ＤＶＤ装置・媒体１１５にダビング（記録）されたダビングデータは、ＤＶＤ記録再生処理部１１４、ＰＳ再生処理部１１３、再生制御部１１８を経由して、再生データ１１９として出力（再生）される。
【００４９】
なお、ＨＤＤ用管理部１０４、ＤＶＤ用管理部１０５が、ＤＶＤ装置・媒体１１５からＨＤＤ装置１１０へのダビング命令を示すユーザー制御情報１０３を入力すると、ＤＶＤ装置・媒体１１５からのダビングデータが、ＤＶＤ記録再生処理部１１４、ＰＳ再生処理部１１３、ＰＳ−ＴＳ変換部１１７、ＴＳ記録処理部１０７、ＨＤＤ記録再生処理部１０９を介してＨＤＤ装置１１０にダビング（記録）される。
【００５０】
また、ＤＶＤ用管理部１０５が、ＤＶＤ記録命令を示すユーザー制御情報１０３を入力すると、デジタル放送データ１０１がチューナー１０２、ＴＳ−ＰＳ変換部１１６、ＰＳ記録処理部１１２、ＤＶＤ記録再生処理部１１４を経由してＤＶＤ装置・媒体１１５へ記録される。
【００５１】
また、ＨＤＤ用管理部１０４が、ＨＤＤ再生命令を示すユーザー制御情報１０３を入力すると、ＨＤＤに記録されたデータは、ＨＤＤ記録再生処理部１０９、ＴＳ再生処理部１０８、再生制御部１１８を経由して、再生データ１１９として出力（再生）される。
【００５２】
図４は、ＨＤＤ用管理部１０４、ＤＶＤ用管理部１０５の構成を示すブロック図である。
【００５３】
図４を参照すると、ＨＤＤ用管理部１０４は、ダビングタイトル決定部２０１と、ＴＳ再生制御部２０２と、移動用消去部２０３とを含む。ＤＶＤ用管理部１０５は、オリジナル・プレイリストタイトル構成部２０４と、チャプター構成部２０５と、記録制御部２０６と、記録完了確認部２０７とを含む。図２には、ＤＶＤ装置・媒体１１５からＨＤＤ装置１１０へのダビング、ＨＤＤ装置１１０への記録、ＤＶＤ装置・媒体１１５からの再生に関する制御部が存在するが、説明をわかりやすくするため、記載を省略する。
【００５４】
ダビングタイトル決定部２０１は、ダビングを行うタイトル、チャプターを決定し、ＴＳ再生制御部２０２は、再生されるＨＤＤ装置１１０内のダビングデータのタイトル、チャプターを制御する。
【００５５】
オリジナル・プレイリストタイトル構成部２０４は、ＨＤＤ装置１１０から再生されたダビングデータに対して、オリジナルタイトル、プレイリストタイトルの構成を決定する。チャプター構成部２０５は、記録するチャプター構成を決定する。次に、記録制御部２０６がＤＶＤ装置・媒体１１５への記録制御を行い、さらに、記録完了確認部２０７が、記録完了信号を出力する。
【００５６】
移動用消去部２０３は、記録完了信号を入力すると、消去制御信号を出力しＨＤＤ装置１１０に出力し、ＨＤＤ装置１１０からムーブ（移動）が完了したタイトル、チャプターを強制的に消去する。
【００５７】
次に、ＨＤＤ装置１１０からＤＶＤ装置・媒体１１５へのダビングの動作の一例について図面を参照して説明する。
【００５８】
図５は、ダビングデータの構成を示す説明図である。
【００５９】
図５を参照すると、第１の媒体３０１がＨＤＤ装置１１０であり、第２の媒体３０２がＤＶＤ装置・媒体１１であり、第１の媒体３０１から第２の媒体３０２３０２へダビングが行われる。
【００６０】
ダビング前データ３０３は、第１の媒体３０１に記録されているタイトル、チャプターの例であり、タイトルＴ１としてチャプターＣ１１、Ｃ１２、Ｃ１３が存在し、タイトルＴ２としてチャプターＣ２１が存在し、タイトルＴ３としてチャプターＣ３１、Ｃ３２、Ｃ３３、Ｃ３４が存在する。
【００６１】
ダビング後データ３０４は、第１の媒体３０１から第２の媒体３０２にダビングされるタイトル、チャプターの例であり、表示順に、タイトルＴ４としてチャプターＣ３１、Ｃ３３、Ｃ２１が存在し、タイトルＴ５としてチャプターＣ１２、Ｃ２１が存在し、タイトルＴ６としてチャプターＣ１３が存在し、タイトルＴ７としてチャプターＣ３３、Ｃ１１、Ｃ３４、Ｃ１３が存在する。
【００６２】
通常、ダビングにおいて、コピーが可能であればユーザーの要求に応じてダビング前データ３０３からダビング後データ３０４のようにダビング（コピー）を行えばよいが、コピーが禁止されムーブ（移動）のみ許可されている場合では、たとえば、チャプターＣ３３のように同じチャプターを２回記録することも禁止される。
【００６３】
図６は、本発明のダビングの一例の動作を示す説明図である。
【００６４】
第１の媒体３０１に記録されているダビングデータは、図５のダビング前データ３０３に示すものと同じ内容である。第２の媒体４０１にダビングするデータも、ダビング後データ３０４に示すものと同じタイトル、チャプターである。ユーザー制御情報１０３は、図６に示すダビング後データ４０２を作成する命令を含む。
【００６５】
最初に、ダビング後データ４０２のように、ダビング後データ３０４に示すダビングに必要な全タイトル、全チャプターが１回ずつ記録される。すなわち、タイトルＴ１としてチャプターＣ１１、Ｃ１２、Ｃ１３、タイトルＴ２としてチャプターＣ２１、タイトルＴ３としてチャプターＣ３１、Ｃ３３、Ｃ３４が記録される。タイトルＴ３におけるチャプターＣ３２は、ダビング後データ３０４に含まれていないため、記録されない。以下、動作について説明する。ＨＤＤ用管理部１０４、ＴＳ記録処理部１０７、ＨＤＤ記録再生処理部１０９を介しタイトルのチャプターデータ（１以上）が指定され、ＨＤＤ装置１１０から、指定されたタイトルのチャプターデータがＨＤＤ記録再生処理部１０９に取り込まれる。次に、ＴＳ再生処理部１０８で、指定されたタイトルのチャプターが再生される。次に、ＴＳ−ＰＳ変換部１１６で、指定されたタイトルのチャプターデータがＰＳデータ型式に変換され、ＤＶＤ用管理部１０５からの指示で、ＰＳデータ型式の指定されたタイトルのチャプターデータがＰＳ記録処理部１１２に保持される。
【００６６】
次に、プレイリストタイトルが登録される。プレイリストタイトルとは、連続再生されるチャプターが登録されたタイトルであり、ストリームデータそのものではなく、連続再生するチャプターナンバーを、連続再生する順序に従って示したタイトルである。
【００６７】
プレイリストタイトルＰＬ１には、ダビング後データ３０４におけるタイトルＴ４として、チャプターＣ３１、Ｃ３３、Ｃ２１を順に再生することが登録される。次に、プレイリストタイトルＰＬ２には、ダビング後データ３０４におけるタイトルＴ５として、チャプターＣ１２、Ｃ２１を順に再生することが登録される。次に、プレイリストタイトルＰＬ３には、ダビング後データ３０４におけるタイトルＴ６として、チャプターＣ１３を再生することが登録される。次に、プレイリストタイトルＰＬ４には、ダビング後データ３０４におけるタイトルＴ７として、チャプターＣ３３、Ｃ１１、Ｃ３４、Ｃ１３を順に再生することが登録される。以下、動作について説明する。ＤＶＤ用管理部１０５は、プレイリストタイトルＰＬ１〜ＰＬ４を作成し、ＰＳ記録処理部１１２に出力する。次に、ＰＳ記録処理部１１２は、ＰＳデータ型式の指定されたタイトルのチャプターデータとプレイリストタイトルＰＬ１〜ＰＬ４を連結し、ダビング後データ４０２とする。次に、ＰＳ記録処理部１１２は、ＤＶＤ用管理部１０５の指示で、ダビング後データ４０２をＤＶＤ記録再生処理部１１４に出力し、ＤＶＤ記録再生処理部１１４は、ダビング後データ４０２をＤＶＤ装置・媒体１１５に記録（ダビング）する。
【００６８】
そして、最後に、ダビングがムーブ（移動）であれば、第１の媒体３０１のタイトル、チャプターが強制的に消去される。この例では、チャプターＣ１１、Ｃ１２、Ｃ１３、Ｃ２１、Ｃ３１、Ｃ３３、Ｃ３４が強制的に消去される。
【００６９】
このように、チャプター再生順を登録することにより、ストリームデータを１回ダビングすれば、マルチビュー、マルチアングル、マルチシーン、重複シーンのデータを自由に再生することが可能となる。
【００７０】
図７は、本発明のダビングの他の一例の動作を示す説明図である。
【００７１】
第１の媒体３０１に記録されているのは、ダビング前データ３０３に示すものと同じ内容である。
【００７２】
第２の媒体５０１にダビングされるのは、ダビング後データ３０４に示すものと同じタイトル、チャプターである。
【００７３】
最初に、ダビング後データ５０２のように、ダビング後データ３０４に示すタイトルＴ４と同じデータによりオリジナルタイトルＴ４が記録される。オリジナルタイトルＴ４は原作のタイトルである。オリジナルタイトルＴ４は、チャプターＣ３１、Ｃ３３、Ｃ２１から成る。次に、ダビング後データ３０４に示すプレイリストタイトルＰＬ５が構成され、かつ、まだ記録が行われていないチャプターＣ１２が記録される。次に、ダビング後データ３０４に示すタイトルＰＬ６が構成され、かつ、まだ記録が行われていないチャプターＣ１３を記録される。次に、ダビング後データ３０４に示すタイトルＰＬ７が構成され、かつ、まだ記録が行われていないチャプターＣ１１、Ｃ３４が記録される。
【００７４】
次に、オリジナルタイトルＴ４を除くプレイリストタイトルＰＬ５〜ＰＬ７が登録される。ここでも、プレイリストタイトルＰＬ５〜ＰＬ７には、ストリームデータ自身を記録せず、チャプター再生順序のみが登録される。
【００７５】
プレイリストタイトルＰＬ５には、ダビング後データ３０４におけるタイトルＴ５として、チャプターＣ１２、Ｃ２１を順に再生することが登録される。次に、プレイリストタイトルＰＬ６には、ダビング後データ３０４におけるタイトルＴ６として、チャプターＣ１３を再生することが登録される。次に、プレイリストタイトルＰＬ７には、ダビング後データ３０４におけるタイトルＴ７として、チャプターＣ３３、Ｃ１１、Ｃ３４、Ｃ１３を順に再生することが登録される。
【００７６】
そして、最後に、ダビングがムーブ（移動）であれば、第１の媒体３０１のタイトル、チャプターが強制的に消去される。この例では、チャプターＴ１１、Ｔ１２、Ｔ１３、Ｔ２１、Ｔ３１、Ｔ３３、Ｔ３４が強制的に消される。
【００７７】
このように、オリジナルタイトルを登録し、かつ、チャプター再生順を登録することにより、ストリームデータを１回ダビングすれば、マルチビュー、マルチアングル、マルチシーン、重複シーンのデータを自由に再生することが可能となり、かつ、プレイリストタイトル数を削減することができる。
【００７８】
図８は、本発明のダビングの他の一例の動作を示す説明図である。
【００７９】
第１の媒体３０１に記録されているダビングデータは、ダビング前データ３０３に示すものと同じ内容である。
【００８０】
第２の媒体６０１にダビングするダビングデータも、ダビング後データ３０４に示すものと同じタイトル、チャプターである。
【００８１】
最初に、ダビング後データ６０２のように、ダビング後データ３０４に示すタイトルＴ４と同じ内容のオリジナルタイトルＴ４が記録される。オリジナルタイトルＴ４は、チャプターＣ３１、Ｃ３３、Ｃ２１から成る。次に、ダビング後データ３０４に示すタイトルＴ５が構成され、かつ、まだ記録が行われていないチャプターＣ１２が記録される。次に、ダビング後データ３０４に示すタイトルＴ６を構成するデータであり、かつ、それまで記録されているデータが存在しないため、オリジナルタイトルＴ６として、チャプターＣ１３が記録される。次に、ダビング後データ３０４に示すタイトル７が構成Ｄされ、かつ、まだ記録が行われていないチャプターＣ１１、Ｃ３４が記録される。
【００８２】
次に、オリジナルタイトルＴ４、オリジナルタイトルＴ６を除くプレイリストタイトルが登録されるここでも、プレイリストタイトルには、ストリームデータ自身が記録されず、チャプター再生順序のみが登録される。
【００８３】
プレイリストタイトルＰＬ６には、ダビング後データ３０４におけるタイトルＴ５として、チャプターＣ１２、Ｃ２１を順に再生することが登録される。
【００８４】
次に、プレイリストタイトルＰＬ６には、ダビング後データ３０４におけるタイトルＴ７として、チャプターＣ３３、Ｃ１１、Ｃ３４、Ｃ１３を順に再生することが登録される。そして、最後に、ダビングがムーブ（移動）であれば、第１の媒体３０１のタイトル、チャプターが強制的に消去される。この例では、チャプターＣ１１、Ｃ１２、Ｃ１３、Ｃ２１、Ｃ３１、Ｃ３３、Ｃ３４が強制的に消去される。
【００８５】
このように、オリジナルタイトルを登録し、かつチャプター再生順を登録することにより、ストリームデータを１回ダビングすれば、マルチビュー、マルチアングル、マルチシーン、重複シーンのデータを自由に再生することが可能となり、かつプレイリストタイトル数をさらに削減することができる。
【００８６】
図９は、本発明によるダビングのビットレート制御の例を示す説明図である。
【００８７】
図８に示すように、第２の媒体７０１にダビング後データ７０２がダビングされる。
【００８８】
ここで、オリジナルタイトルＴ４が最も重要であり、続いてタイトルＴ５、オリジナルタイトルＴ６、タイトルＴ７の順に重要度が低くなっていると仮定すると、オリジナルタイトルＴ４を、最も高ビットレートとし、続いてタイトルＴ５、オリジナルタイトルＴ６、タイトルＴ７の順にビットレートを下げていくことが可能である。図９では、それぞれ６［Ｍｂｐｓ］、５［Ｍｂｐｓ］、４［Ｍｂｐｓ］、３［Ｍｂｐｓ］の例が示される。
【００８９】
この重要度は、ダビングする順序に従って決定されてもよい。
【００９０】
または、この重要度は、ユーザーが指定する順序に従って決定されてもよい。
【００９１】
図１０は、本発明のダビングの管理データ制御の例を示す説明図である。
【００９２】
図１０を参照すると、ダビングが２回行われる。第１回目のダビングにおいては（図１０（ａ））、第１の媒体８０３から第２の媒体８０４へ、タイトルＴ４（チャプターＣ３１、Ｃ３３、Ｃ２１）がダビングされる。第２回目のダビングにおいては、第１の媒体８０３から第２の媒体８０４へ、タイトルＴ５（チャプターＣ１２、Ｃ２１）がダビングされる。
【００９３】
第１回目のダビングにおいては、ダビング前データ８０７からダビング後データ８０８へ、タイトルＴ４（チャプターＣ３１、Ｃ３３、Ｃ２１）のダビングが行われ、その後、ダビング前データ８０７においてタイトルＴ４（チャプターＣ３１、Ｃ３３、Ｃ２１）が強制的に消去される。しかしながら、管理データ８０５は、ユーザーに対してはタイトルＴ４（チャプターＣ３１、Ｃ３３、Ｃ２１）のデータを隠し、消去されているように見せるが、管理データ８０５自体はそのまま残される。すなわち、タイトルＴ４（チャプターＣ３１、Ｃ３３、Ｃ２１）におけるダビング媒体、記録時刻、ダビング時刻、コンテンツ内容、ビット数などの管理データ８０５は、引き続き保存される。
【００９４】
次に、第２回目のダビングにおいては（図１（ｂ））、ダビング前データ８０７からダビング後データ８０８へ、タイトルＴ５（チャプターＣ１２、Ｃ２１）をダビングしようとすると、Ｃチャプター１２はダビングできるが、チャプターＣ２１はダビングできない。このとき、管理データ８０５により、ダビング媒体、記録時刻、ダビング時刻、コンテンツ内容、ビット数などが分かり、第２の媒体８０４において、すでに、チャプターＣ１２が記録されていることが分かる。そこで、ダビング後データ８０８のプレイリストタイトルＰＬ１０により、タイトルＴ５（チャプターＣ１２、Ｃ２１）が指定され、再生を可能となる。
【００９５】
その後、ダビング前データ８０７からタイトルＴ５（チャプターＣ１２）が強制的に消去される。
【００９６】
図１１は、本発明のダビングの管理データ制御の他の例を示す説明図である。
【００９７】
詳細には、図１１は、第１の媒体９０４から第２の媒体９０５へダビング行った後、第２の媒体９０５のデータを消去し、第１の媒体９０４のデータを復帰させる例である。
【００９８】
ダビング（移動）において（図１１（ａ））、第１の媒体９０４からダビング前データ９０６のチャプターＰＬ１０のデータ９０８を、第１の媒体９０４のダビング後データ９０７としてダビング（移動）する。この後、ダビング前データ９０６中のデータ９０８は、強制的に消去されたようになる。しかし、ユーザーには消去したように見せるものの、実際にはデータ９０８は隠された状態、即ちユーザーからは再生できない状態でそのまま残されている。
【００９９】
次に、媒体消去に示すように（図１１（ｂ））、第２の媒体９０５のダビング後データ９０７が消去される。ここで、まだ、第１の媒体９０４中のデータ９０８は消去されたように見えるものの、実際には隠された状態でデータとして残っている。
【０１００】
その後、媒体復帰に示すように（図１１（ｃ））、第２の媒体９０５のダビング後データ９０７の消去が正常に行われたことをＨＤＤ用管理部１０４が確認した後、第１の媒体９０４のダビング前データ９０６中のデータ９０８が復帰、すなわち、ユーザーから再生できる状態に戻される。その後、データ９０８は再生可能となる。
【０１０１】
図１０、図１１において、第１の媒体９０４の容量が規定の容量以下、または全体の容量に対する規定の比率以下になるまでデータを隠された状態で保存し、それを超えると、実際に消去する構成が可能である。また、第１の媒体９０４において、規定時間に達するまでデータを保存し、それを超えると、実際に消去する構成が可能である。また、ユーザーが完全消去を指定するまでデータを保存、指定が亡くなると、実際に消去する構成が可能である。
【０１０２】
以上においては、１つのタイトル、１つのプレイリストタイトルには、１つのチャプターは、１回しか含まれていないが、当然、１つのタイトル、１つのプレイリストタイトルに、１つのチャプターを複数含む構成が可能である。
【０１０３】
以上の実施例において、第１の媒体には、ＴＳ形式（トランスポートストリーム）のデータが記録され、第２の媒体にはＰＳ形式（プログラムストリーム）のデータが記録されてもよい。
【０１０４】
これにより、ＨＤＤを代表とする第１の媒体では、放送ストリームのまま記録ができ、ＤＶＤを代表とする第２の媒体では、ＤＶＤ−ＶｉｄｅｏまたはＨＤ  ＤＶＤ−Ｖｉｄｅｏで再生可能なストリームを構成することができる。
【０１０５】
また、以上の実施例において、第１の媒体上にはデータサーチインフォメーションを記録せず、第２の媒体上にはデータサーチインフォメーションを記録してもよい。
【０１０６】
これにより、ＨＤＤを代表とする第１の媒体では、放送ストリームのまま記録ができ、ＤＶＤを代表とする第２の媒体では、ＤＶＤ−ＶｉｄｅｏまたはＨＤ  ＤＶＤ−Ｖｉｄｅｏで容易に可変則再生を可能とすることができる。
【０１０７】
本発明のＨＤＤ用管理部１０４、ＤＶＤ用管理部１０５、ＨＤＤ制御部１０６、ＤＶＤ制御部１１１、ＴＰ−ＰＳ変換部１１６、ＰＳ−ＴＳ変換部１１７、再生制御部１１８をソフトウェア、または、ファームウェアにより実現することが可能である。
【０１０８】
本発明の効果についてさらに詳細に説明する。
【０１０９】
今般、放送ではＢＳデジタル放送、ＣＳデジタル放送、地上デジタル放送などのデジタル放送が開始され、一般家庭にも普及しつつある。さらに、日本では２０１０年ころアナログ放送が終了し、すべてデジタル放送に移行することが計画されている。
【０１１０】
これらのデジタル放送では、ほぼすべてのプログラムが「１コピーコンテンツ」である。「１コピーコンテンツ」とは、放送を一回録画することは可能だが、録画した放送を自由にダビング（コピー、複製）できないようにしたものである。
【０１１１】
例えば放送を、最初ＨＤＤに録画したとすると、それをＤＶＤにコピー（複製）することは許可されず、ＤＶＤに保存したい場合はムーブ（移動）となり、ＤＶＤにダビングすることは可能だが、ダビングと同時にＨＤＤに録画されたデータが強制的に消去される。
【０１１２】
ところで、デジタル放送では、マルチビュー、マルチアングル、マルチシーン、重複シーンなどの映像が送られてくることがある。即ち、シーン１、２では通常の映像であったものが、シーン３で男性の視点、シーン４で女性の視点としてシーン３、４を時間的に同時進行としたり、シーン５、６でシーン２、３を重複シーンとして、再度放送したりするなどである。
【０１１３】
これらのデジタル放送に関して、ＨＤＤに録画したシーンをＤＶＤにダビング（移動）するとき、放送形式のままＴＳ（トランスポートストリーム）でダビングすればマルチビュー、マルチアングル、マルチシーン、重複シーンなどはそのまま記録することが可能だが、そのディスクを再生専用ＤＶＤ−Ｖｉｄｅｏまたは＜ＨＤ  ＤＶＤ＞−Ｖｉｄｅｏプレーヤで視聴することはできない。
【０１１４】
ＤＶＤ−Ｖｉｄｅｏまたは＜ＨＤ  ＤＶＤ＞−Ｖｉｄｅｏフォーマットでは、ＰＳ（プログラムストリーム）で規定されており、ヘッダーなどの冗長度は低いが、１ストリームしか記録することができず、マルチビュー、マルチアングル、マルチシーン、重複シーンなどのうち１シーン記録することができるのみである。
【０１１５】
また、ＨＤＤに記録されたマルチビュー、マルチアングル、マルチシーン、重複シーンのうちの１シーンをＤＶＤにダビング（移動）した場合、ダビング後、そのシーンに関するデータはＨＤＤからすべて削除されてしまうため、後から別のマルチビュー、マルチアングル、マルチシーン、重複シーンのうちの１シーンを追加ダビングしようとしても不可能である。
【０１１６】
本発明は、１つのチャプターを複数のタイトルで共有できるようにダビングを実施する構成により、上記問題点が容易に解決できる。
【０１１７】
また、本発明は、マルチビュー、マルチアングル、マルチシーン、重複シーンに関しても、再生専用のＤＶＤ−ＶｉｄｅｏまたはＨＤ  ＤＶＤ−Ｖｉｄｅｏプレーヤで再生可能なデジタル放送記録フォーマットが得られるという効果を持つ。
【０１１８】
また、本発明は、ビットレートを調整することにより、重要度の高いシーンを高ビットレートによる高画質とし、重要度の低いシーンを低ビットレートによる通常画質とし、ディスク媒体を効率よく使用することができるという効果を持つ。
【０１１９】
また、マルチビュー、マルチアングル、マルチシーン、重複シーンのうち１シーンをダビング後、後から別のマルチビュー、マルチアングル、マルチシーン、重複シーンのうちの１シーンを追加ダビングすることが可能である。
【０１２０】
また、本発明は、ＰＳ記録、データサーチインフォメーションにより可変速再生などの特殊再生が可能であるという効果を持つ。
【０１２１】
次に、本発明を実施するための第２の最良の形態について図面を参照して詳細に説明する。
【０１２２】
図１２は、本発明を実施するための第２の最良の形態の構成を示すブロック図である。
【０１２３】
図１２を参照すると、本発明を実施するための第２の最良の形態は、本発明を実施するための第１の最良の形態の構成にチューナー３００が追加された構成を持つ。
【０１２４】
したがって、本発明を実施するための第２の最良の形態は、たとえば、２種の番組を同時に、ＨＤＤ装置１１０に記録できるという効果を持つ。
【産業上の利用可能性】
【０１２５】
本発明は、前述した方法にしたがってデータを記録可能なビデオレコーダ、ビデオ記録装置、または、ビデオ記録ソフトウェアに適用でき、更に、上に述べた方法で記録したデータを再生可能な、ビデオプレーヤ、ビデオレコーダ、ビデオ再生装置、ビデオ再生ソフトウェア、又は、以上に示す方法で記録された記録メディアにも適用できる。
【図面の簡単な説明】
【０１２６】
【図１】本発明を実施するための第１の最良の形態の構成を示すブロック図。
【図２】本発明を実施するための第１の最良の形態の動作を示すフローチャート。
【図３】本発明を実施するための第１の最良の形態の動作を示すフローチャート。
【図４】ＨＤＤ用管理部、ＤＶＤ用管理部の構成を示すブロック図。
【図５】ダビングデータの構成を示す説明図。
【図６】本発明のダビングの一例の動作を示す説明図。
【図７】本発明のダビングの他の一例の動作を示す説明図。
【図８】本発明のダビングの他の一例の動作を示す説明図。
【図９】本発明によるダビングのビットレート制御の例を示す説明図。
【図１０】本発明のダビングの管理データ制御の例を示す説明図。
【図１１】本発明のダビングの管理データ制御の他の例を示す説明図。
【図１２】本発明を実施するための第２の最良の形態の構成を示すブロック図
【符号の説明】
【０１２７】
１０１    デジタル放送データ
１０２    チューナー
１０３    ユーザー制御情報
１０４    ＨＤＤ用管理部
１０５    ＤＶＤ用管理部
１０６    ＨＤＤ制御部
１０７    ＴＳ記録処理部
１０８    ＴＳ再生処理部
１０９    ＨＤＤ記録再生処理部
１１０    ＨＤＤ装置
１１１    ＤＶＤ制御部
１１２    ＰＳ記録処理部
１１３    ＰＳ再生処理部
１１４    ＤＶＤ記録再生処理部
１１５    ＤＶＤ装置・媒体
１１６    ＴＳ−ＰＳ変換部
１１７    ＰＳ−ＴＳ変換部
１１８    再生制御部
１１９    再生データ
２０１    ダビングタイトル決定部
２０２    ＴＳ再生制御部
２０３    移動用消去部
２０４    オリジナル・プレイリストタイトル構成部
２０５    チャプター構成部
２０６    記録制御部
２０７    記録完了確認部
３００    チューナー
３０１    第１の媒体
３０２    第２の媒体
３０３    ダビング前データ
３０４    ダビング後データ
４０１    第２の媒体
４０２    ダビング後データ
５０１    第２の媒体
５０２    ダビング後データ
６０１    第２の媒体
６０２    ダビング後データ
７０１    第２の媒体
７０２    ダビング後データ
８０３    第１の媒体
８０４    第２の媒体
８０５    管理データ
８０７    ダビング前データ
８０８    ダビング後データ
９０４    第１の媒体
９０５    第２の媒体
９０６    ダビング前データ
９０７    ダビング後データ
９０８    データ
【図１】
2007122771.tif 000003
【図２】
2007122771.tif 000004
【図３】
2007122771.tif 000005
【図４】
2007122771.tif 000006
【図５】
2007122771.tif 000007
【図６】
2007122771.tif 000008
【図７】
2007122771.tif 000009
【図８】
2007122771.tif 000010
【図９】
2007122771.tif 000011
【図１０】
2007122771.tif 000012
【図１１】
2007122771.tif 000013
【図１２】
2007122771.tif 000014